(57)【要約】【課題】ユーザの認証を解除する前にユーザインタフェースに対する操作の受け付けを制限する情報処理装置を提供する。【解決手段】ステップＳｂ２において、制御部１０１は、ＵＩ部１０４におけるユーザによる操作の受け付けを制限する。制御部１０１は、ユーザがＵＩ部１０４を操作して複写、プリント、スキャン、またはファクシミリなどの各種機能を実行することを制限する。ステップＳｂ７において、制御部１０１は、ユーザの認証を解除する。具体的には、制御部１０１は、ＲＡＭに記憶されたユーザＩＤおよび認証情報を消去する。【選択図】図１０
2014071828.tif 000002
【特許請求の範囲】
【請求項１】
ユーザによる操作を受け付けるユーザインタフェースと、
前記ユーザを認証する認証手段と、
前記認証手段により前記ユーザが認証されている状態で第１の条件が満たされた場合、前記ユーザインタフェースに対する操作の受け付けを制限する制限手段と、
前記制限手段による制限がされている状態で第２の条件が満たされた場合、前記ユーザの認証を解除する認証解除手段と
を有する情報処理装置。
【請求項２】
前記第１の条件が、前記ユーザインタフェースが第１の時間を超えて操作されていないことである
ことを特徴とする請求項１に記載の情報処理装置。
【請求項３】
前記ユーザインタフェースは、表示画面を含んでおり、
前記表示画面は、前記第１の条件が満たされるまでの残り時間に応じて変化する図形または文字を表示し、
前記ユーザインタフェースは、前記図形または文字を変化させるための操作を受け付け、
前記ユーザインタフェースが受け付けた操作に応じて、前記残り時間を増加または減少させる時間増減手段を有する
ことを特徴とする請求項２に記載の情報処理装置。
【請求項４】
前記図形または文字は、前記残り時間に応じて形状および大きさの少なくとも一方が変化することを特徴とする請求項３に記載の情報処理装置。
【請求項５】
前記ユーザインタフェースは、表示画面を含んでおり、
前記第１の条件が、前記制限手段による制限を開始するための特定の操作がユーザにより行われたことであり、
前記特定の操作により前記第１の条件が満たされた場合、前記表示画面は、前記制限手段による制限がされているときに表示するメッセージを前記ユーザに選択させるための選択画面を表示する
ことを特徴とする請求項１に記載の情報処理装置。
【請求項６】
前記第２の条件が、前記制限手段による制限が開始されてから第２の時間が経過したことである
ことを特徴とする請求項１ないし５のいずれか一項に記載の情報処理装置。
【請求項７】
前記ユーザインタフェースは、前記制限手段による制限がされている状態で前記第２の条件が満たされる前に前記制限を解除するための解除操作を受け付け、
特定の処理を行う処理手段と、
前記ユーザが前記ユーザインタフェースの操作をすることにより設定された、前記特定の処理に用いられるパラメータを記憶する記憶手段と、
前記第２の条件が満たされた場合に、前記記憶手段に記憶された前記パラメータを削除する削除手段と、
前記ユーザインタフェースにより前記解除操作が受け付けられた場合、前記制限手段による制限を解除する制限解除手段と
を有する請求項１ないし６のいずれか一項に記載の情報処理装置。
【請求項８】
前記解除操作は、ユーザ毎に設定されている
ことを特徴とする請求項７に記載の情報処理装置。
【請求項９】
記録媒体に画像を形成する画像形成手段と、
前記画像形成手段に対するユーザによる操作を受け付けるユーザインタフェースと、
前記ユーザを認証する認証手段と、
前記認証手段により前記ユーザが認証されている状態で第１の条件が満たされた場合、前記ユーザインタフェースに対する操作の受け付けを制限する制限手段と、
前記制限手段による制限がされている状態で第２の条件が満たされた場合、前記ユーザの認証を解除する認証解除手段と
を有する画像形成装置。
【請求項１０】
ユーザによる操作を受け付けるユーザインタフェースを有するコンピュータに、
前記ユーザを認証するステップと、
前記ユーザが認証されている状態で第１の条件が満たされた場合、前記ユーザインタフェースに対する操作の受け付けを制限するステップと、
前記制限がされている状態で第２の条件が満たされた場合、前記ユーザの認証を解除するステップと
を実行させるためのプログラム。
【発明の詳細な説明】
【技術分野】
【０００１】
本発明は、情報処理装置、画像形成装置およびプログラムに関する。
【背景技術】
【０００２】
情報処理装置において、ユーザによるログアウト忘れを防止して不正利用を防止する技術が知られている。特許文献１には、離着席センサがユーザの離席を検出した場合に、画面の消去、ファイルの保存、およびキーボードの入力の禁止などの中断処理を行うことが記載されている。特許文献２には、重み感知センサにより利用者の体重を検知し、利用者の重み情報が大きく減ったときには利用者が装置の利用を終了したものと判断することが記載されている。特許文献３には、機能提供機器が作成した暗号文と利用者認証機器が作成した応答文とが一致しないときに機能提供機器が機能の提供を停止することが記載されている。
【先行技術文献】
【特許文献】
【０００３】
【特許文献１】特開平５−３１３７７３号公報
【特許文献２】特開平１１−１５４０３３号公報
【特許文献３】特開２００４−２２０２９５号公報
【発明の概要】
【発明が解決しようとする課題】
【０００４】
本発明は、ユーザの認証を解除する前にユーザインタフェースに対する操作の受け付けを制限する情報処理装置を提供することを目的とする。
【課題を解決するための手段】
【０００５】
請求項１に係る情報処理装置は、ユーザによる操作を受け付けるユーザインタフェースと、前記ユーザを認証する認証手段と、前記認証手段により前記ユーザが認証されている状態で第１の条件が満たされた場合、前記ユーザインタフェースに対する操作の受け付けを制限する制限手段と、前記制限手段による制限がされている状態で第２の条件が満たされた場合、前記ユーザの認証を解除する認証解除手段とを有する。
【０００６】
請求項２に係る情報処理装置は、請求項１に記載の構成において、前記第１の条件が、前記ユーザインタフェースが第１の時間を超えて操作されていないことであることを特徴とする。
【０００７】
請求項３に係る情報処理装置は、請求項２に記載の構成において、前記ユーザインタフェースは、表示画面を含んでおり、前記表示画面は、前記第１の条件が満たされるまでの残り時間に応じて変化する図形または文字を表示し、前記ユーザインタフェースは、前記図形または文字を変化させるための操作を受け付け、前記ユーザインタフェースが受け付けた操作に応じて、前記残り時間を増加または減少させる時間増減手段を有することを特徴とする。
【０００８】
請求項４に係る情報処理装置は、請求項３に記載の構成において、前記図形または文字は、前記残り時間に応じて形状および大きさの少なくとも一方が変化することを特徴とする。
【０００９】
請求項５に係る情報処理装置は、請求項１に記載の構成において、前記ユーザインタフェースは、表示画面を含んでおり、前記第１の条件が、前記制限手段による制限を開始するための特定の操作がユーザにより行われたことであり、前記特定の操作により前記第１の条件が満たされた場合、前記表示画面は、前記制限手段による制限がされているときに表示するメッセージを前記ユーザに選択させるための選択画面を表示することを特徴とする。
【００１０】
請求項６に係る情報処理装置は、請求項１ないし５のいずれか一項に記載の構成において、前記第２の条件が、前記制限手段による制限が開始されてから第２の時間が経過したことであることを特徴とする。
【００１１】
請求項７に係る情報処理装置は、請求項１ないし６のいずれか一項に記載の構成において、前記ユーザインタフェースは、前記制限手段による制限がされている状態で前記第２の条件が満たされる前に前記制限を解除するための解除操作を受け付け、特定の処理を行う処理手段と、前記ユーザが前記ユーザインタフェースの操作をすることにより設定された、前記特定の処理に用いられるパラメータを記憶する記憶手段と、前記第２の条件が満たされた場合に、前記記憶手段に記憶された前記パラメータを削除する削除手段と、前記ユーザインタフェースにより前記解除操作が受け付けられた場合、前記制限手段による制限を解除する制限解除手段とを有する。
【００１２】
請求項８に係る情報処理装置は、請求項７に記載の構成において、前記解除操作は、ユーザ毎に設定されていることを特徴とする。
【００１３】
請求項９に係る画像形成装置は、記録媒体に画像を形成する画像形成手段と、前記画像形成手段に対するユーザによる操作を受け付けるユーザインタフェースと、前記ユーザを認証する認証手段と、前記認証手段により前記ユーザが認証されている状態で第１の条件が満たされた場合、前記ユーザインタフェースに対する操作の受け付けを制限する制限手段と、前記制限手段による制限がされている状態で第２の条件が満たされた場合、前記ユーザの認証を解除する認証解除手段とを有する。
【００１４】
請求項１０に係るプログラムは、ユーザによる操作を受け付けるユーザインタフェースを有するコンピュータに、前記ユーザを認証するステップと、前記ユーザが認証されている状態で第１の条件が満たされた場合、前記ユーザインタフェースに対する操作の受け付けを制限するステップと、前記制限がされている状態で第２の条件が満たされた場合、前記ユーザの認証を解除するステップとを実行させる。
【発明の効果】
【００１５】
請求項１および１０に係る発明によれば、情報処理装置において、ユーザの認証が解除される前にユーザインタフェースに対する操作の受け付けが制限される。
請求項２に係る発明によれば、ユーザインタフェースが第１の時間を超えて操作されていない場合に、ユーザインタフェースに対する操作の受け付けが制限される。
請求項３に係る発明によれば、第１の時間を超えるまでの残り時間が、ユーザの操作により変更される。
請求項４に係る発明によれば、表示画面に表示される図形または文字の形状と大きさが、残り時間に応じて変化しない場合に比べて、ユーザが残り時間を直感的に把握することができる。
請求項５に係る発明によれば、ユーザの操作によりユーザインタフェースに対する操作の受け付けが制限された場合に、ユーザにより選択されたメッセージが表示画面に表示される。
請求項６に係る発明によれば、ユーザインタフェースに対する操作の受け付けが制限されてから第２の時間が経過した場合に、ユーザの認証が解除される。
請求項７に係る発明によれば、ユーザインタフェースに対する操作の受け付けの制限が解除された場合に、ユーザにより設定されたパラメータが特定の処理に用いられる。
請求項８に係る発明によれば、解除操作がユーザ毎に設定されていない場合に比べて、認証されているユーザと異なる他のユーザが、ユーザインタフェースに対する操作の受け付けの制限を解除することが防止される。
請求項９に係る発明によれば、画像形成装置において、ユーザの認証が解除される前にユーザインタフェースに対する操作の受け付けが制限される。
【図面の簡単な説明】
【００１６】
【図１】画像形成装置の機能的構成を示すブロック図
【図２】画像形成装置のハードウェア構成を示すブロック図
【図３】比較例に係る画像形成装置の状態遷移図
【図４】本発明に係る画像形成装置の状態遷移図
【図５】表示画面の例を示す図
【図６】ログインが行われる場合の処理を示すフローチャート
【図７】認証状態におけるタイマー領域の経時変化を示す図
【図８】利用許可タイマーの残り時間がリセットされる例を示す図
【図９】ユーザによる操作を受け付けて矢印が移動する例を示す図
【図１０】ロックおよびログアウトが行われる場合の処理を示すフローチャート
【図１１】ユーザが矢印を移動させて利用許可タイマーの時間がゼロになる例を示す図
【図１２】ＵＩロック画面のタイマー領域に対する操作を示す図
【図１３Ａ】ユーザによる操作を受け付けて矢印が移動する別の例を示す図
【図１３Ｂ】ユーザによる操作を受け付けて矢印が移動する別の例を示す図
【図１３Ｃ】ユーザによる操作を受け付けて矢印が移動する別の例を示す図
【図１３Ｄ】ユーザによる操作を受け付けて矢印が移動する別の例を示す図
【図１４】ユーザによる操作を受け付けてログアウトタイマーの時間がゼロになる例を示す図
【図１５】ロック解除が行われる場合の処理を示すフローチャート
【図１６】解除コマンドの入力例を示す図
【図１７Ａ】変形例１に係る矢印の操作を示す図
【図１７Ｂ】変形例１に係る矢印の操作を示す図
【図１７Ｃ】変形例１に係る矢印の操作を示す図
【図１７Ｄ】変形例１に係る矢印の操作を示す図
【図１８】メッセージ領域に中断中メッセージが表示される例を示す図
【図１９】メッセージ領域に中断中メッセージが表示される別の例を示す図
【図２０】メッセージ領域に変更パラメータ数が表示される例を示す図
【図２１】ユーザ名、中断中メッセージ、および変更パラメータ数の組み合わせの例を示す図
【図２２】選択画面の一例を示す図
【図２３】変形例１０に係る情報処理装置の機能的構成を示すブロック図
【発明を実施するための形態】
【００１７】
図１は、本発明の一実施形態に係る画像形成装置１の機能的構成を示すブロック図である。画像形成装置１（情報処理装置の一例）は、複写機、プリンタ、スキャナおよびファクシミリなどとして機能する装置である。画像形成装置１は、ユーザインタフェース１１、認証手段１２、制限手段１３、時間増減手段１４、認証解除手段１５、画像形成手段１６、記憶手段１７、削除手段１８、および制限解除手段１９を有する。ユーザインタフェース１１は、ユーザによる画像形成装置１へのデータまたは指示の入力を受け付けるインタフェースである。認証手段１２は、ユーザを認証する。
【００１８】
制限手段１３は、認証手段１２によりユーザが認証された状態で第１の条件が満たされた場合、ユーザインタフェース１１に対するユーザの操作の受け付けを制限する。第１の条件は、ユーザインタフェース１１に対するユーザの操作に関する条件である。第１の条件は、例えば、ユーザインタフェース１１が操作されていない状態が継続した時間が第１の時間を超えたこと、または制限手段１３による制限を開始するための特定の操作がユーザにより行われたことである。「操作の受け付けを制限する」とは、画像形成装置１において、通常の状態（操作の受け付けが制限されていない状態）と同じ操作をしても、複写、プリント、スキャン、またはファクシミリなどの各種機能の少なくとも一部が実行されないようにすること、または通常の状態と同じ操作ができない状態にすることをいう。時間増減手段１４は、ユーザインタフェース１１が受け付けた操作に応じて、第１の条件が満たされるまでの残り時間を増加または減少させる。
【００１９】
認証解除手段１５は、制限手段１３による制限がされている状態で第２の条件が満たされた場合、認証手段１２によるユーザの認証を解除する。第２の条件は、時間の経過に関する条件である。第２の条件は、画像形成装置１を管理する管理者により予め決められている。画像形成手段１６は、用紙（記録媒体の一例）に画像を形成する。記憶手段１７は、ユーザがユーザインタフェース１１の操作をすることにより設定した、画像を形成する処理に用いられるパラメータを記憶する。削除手段１８は、第２の条件が満たされた場合に、記憶手段１７からパラメータを削除する。制限解除手段１９は、制限手段１３による制限を解除する。制限解除手段１９は、ユーザインタフェース１１が制限手段１３による制限を解除するための解除操作を受け付けた場合に、当該制限を解除する。
【００２０】
図２は、画像形成装置１のハードウェア構成を示すブロック図である。画像形成装置１は、制御部１０１、通信部１０２、記憶部１０３、ＵＩ（User Interface）部１０４、および画像形成部１０５を有するコンピュータである。制御部１０１は、画像形成装置１の各部の動作を制御する。制御部１０１は、ＣＰＵ（Central Processing Unit）とＲＯＭ（Read Only Memory）とＲＡＭ（Random Access Memory）とを有する。通信部１０２は、ＬＡＮ（Local Area Network）または電話回線などの通信回線を介して外部装置と通信を行う。記憶部１０３は、データおよびプログラムを記憶する記憶装置、例えばＨＤＤ（Hard Disk Drive）である。記憶部１０３は、制御部１０１により用いられるデータおよびプログラムを記憶する。ＵＩ部１０４は、表示部１０４１および入力部１０４２を有する。表示部１０４１は、液晶ディスプレイまたは有機ＥＬ（Electroluminescence）ディスプレイなどの表示装置を有し、画像形成装置１を操作するためのメニュー画面または各種メッセージを表示する。表示部１０４１は、また、ディスプレイに重ねて設けられたタッチスクリーン（タッチパネル）を備える。入力部１０４２は、画像形成装置１にデータまたは指示を入力するための各種キーを備える。ユーザがＵＩ部１０４を操作することにより、画像形成装置１に対する各種指示や各種設定が行われる。画像形成部１０５は、例えば電子写真方式またはインクジェット方式により用紙に画像を形成する。以下では、用紙に画像が形成されることを、「出力」と表現する。
【００２１】
画像形成装置１において、制御部１０１は、認証手段１２、制限手段１３、時間増減手段１４、認証解除手段１５、削除手段１８、および制限解除手段１９の一例である。プログラムを実行している制御部１０１により制御されている記憶部１０３は、記憶手段１７の一例である。プログラムを実行している制御部１０１により制御されているＵＩ部１０４は、ユーザインタフェース１１の一例である。プログラムを実行している制御部１０１により制御されている画像形成部１０５は、画像形成手段１６の一例である。
【００２２】
図３は、比較例に係る画像形成装置の状態遷移図である。画像形成装置は、ユーザの認証状況に応じて未認証状態と認証状態とを遷移する。未認証状態は、ユーザが認証されていない状態である。認証状態は、ユーザが認証された状態である。画像形成装置における複写、プリント、スキャン、またはファクシミリなどの各種機能は、認証状態において実行される。ユーザが、画像形成装置を利用するために画像形成装置の状態を未認証状態から認証状態に遷移させること（矢印ａ）を、以下では「ログイン」と表現する。ログインは、例えば、ユーザがＵＩ部を操作して、ユーザＩＤおよびパスワードを入力することにより行われる。別の例で、ログインは、ユーザＩＤが記録されたＩＣカードを画像形成装置に読み取らせることにより行われてもよい。ユーザが、画像形成装置の状態を認証状態から未認証状態に遷移させること(矢印ｅ)を、以下では「ログアウト」と表現する。ログアウトは、例えば、入力部に設けられたログアウトボタンをユーザが押すことにより行われる。ログアウトは、また、他のユーザによる不正利用を防止する観点から、ＵＩ部が予め決められた時間を超えて操作されていない場合に行われる。ログアウトが行われると、認証状態のときにユーザが設定した各種機能に関するパラメータは初期値に戻る。ユーザは、画像形成装置を利用する度にログインとログアウトを行う。
【００２３】
画像形成装置において、以下の状況を考える。あるユーザは画像形成装置にログインし、画像形成装置を利用している途中で操作を中断した。ユーザが画像形成装置の操作を中断している間に、予め決められた時間が経過し、ログアウトが行われた場合を考える。この場合、ユーザが画像形成装置の操作を再開するためには、再度、画像形成装置にログインする手間が生じる。また、ユーザが操作を中断する前に各種機能に関するパラメータを設定していた場合、ユーザには、再度パラメータを設定する負担が生じることになる。例えば、ユーザが複写機能を利用しており、用紙サイズ、出力範囲、倍率、両面出力の有無、出力部数、濃度、およびカラー出力の有無等の画像を形成する処理に用いられるパラメータの設定を複数行っていた場合、操作を再開したユーザには、これらのパラメータを再度設定する負担が生じる。本発明に係る画像形成装置１は、以下の処理により、このような不都合を未然に防止する。
【００２４】
図４は、本発明に係る画像形成装置１の状態遷移図である。画像形成装置１は、あるユーザの認証状況に応じて未認証状態と認証状態とを遷移する。画像形成装置１は、さらに、認証状態において、ユーザの操作に応じて利用許可状態とＵＩロック状態とを遷移する。利用許可状態は、ユーザがＵＩ部１０４を操作して複写、プリント、スキャン、またはファクシミリなどの各種機能を実行することが許可された状態である。ＵＩロック状態は、ユーザがＵＩ部１０４を操作して各種機能を実行することが制限された状態である。ユーザによってログインが行なわれると、画像形成装置１の状態は未認証状態から利用許可状態に遷移する（矢印ａ）。ユーザがログインを失敗した場合には、未認証状態が継続する（矢印ｂ）。ログイン失敗の例としては、ユーザが、画像形成装置１に登録されていないユーザＩＤまたはパスワードを入力した場合がある。ログイン失敗の別の例としては、画像形成装置１に登録されていないユーザＩＤがＩＣカードから読み取られた場合がある。
【００２５】
ユーザが、画像形成装置１の状態を利用許可状態からＵＩロック状態に遷移させること（矢印ｃ）を、以下では「ロック」と表現する。ロックは、第１の条件が満たされた場合に行われる。第１の条件は、画像形成装置１を管理する管理者により予め決められている。第１の条件は、例えば、ＵＩ部１０４が予め決められた時間（第１の時間の一例）を超えて操作されていないこと、またはユーザがＵＩ部１０４に対して特定の操作を行うことである。制御部１０１は、利用許可状態からＵＩロック状態に遷移するまでの残り時間を示す利用許可タイマーを有する。制御部１０１は、残り時間がゼロになる前にＵＩ部１０４が操作されると、利用許可タイマーの残り時間をリセットする。利用許可状態においてユーザが設定した各種機能に関するパラメータは、ＵＩロック状態において維持される。
【００２６】
ユーザが、画像形成装置１の状態をＵＩロック状態から利用許可状態に遷移させること（矢印ｄ）を、以下では「ロック解除」と表現する。ロック解除は、例えば、ユーザがＵＩ部１０４を操作してロック解除のためのコマンド（以下、「解除コマンド」という）を入力すること（解除操作の一例）により行われる。解除コマンドは、ユーザごとに予め登録されている。
【００２７】
画像形成装置１において、あるユーザのログアウトは以下の４通りの方法により行われる。
（１）ユーザが入力部１０４２に設けられたログアウトボタンを押すこと（矢印ｅ１）。
（２）別のユーザがログインを行うこと（矢印ｅ２）。
（３）画像形成装置１がＵＩロック状態になってから決められた時間（第２の時間の一例）が経過したこと（第２の条件の一例）（矢印ｅ３）。
（４）ユーザにより入力された解除コマンドが予め登録された解除コマンドと異なること（矢印ｅ４）。
ログアウトの方法のうち、方法（１）および（２）は、画像形成装置１が利用許可状態およびＵＩロック状態のいずれのときにも行われる。方法（３）および（４）は、画像形成装置１がＵＩロック状態のときに行われる。制御部１０１は、ＵＩロック状態が継続する時間を示すロックタイマー、およびＵＩロック状態から未認証状態に遷移するまでの時間を示すログアウトタイマーを有する。上述の利用許可タイマー、ロックタイマー、およびログアウトタイマーは、この順番で連続して始動される。具体的には、利用許可タイマーの時間がゼロになると、ロックタイマーが始動する。また、ロックタイマーの時間がゼロになると、ログアウトタイマーが始動する。
【００２８】
図５は、表示部１０４１により表示される表示画面１２０の例を示す図である。表示画面１２０は、画像形成装置１の状態に応じて未認証画面１２１、利用画面１２２、またはＵＩロック画面１２３に変化する。画像形成装置１の状態が未認証状態の場合、未認証画面１２１が表示される。画像形成装置１の状態が利用許可状態の場合、利用画面１２２が表示される。画像形成装置１の状態がＵＩロック状態の場合、ＵＩロック画面１２３が表示される。未認証画面１２１、利用画面１２２、およびＵＩロック画面１２３には、メッセージ領域Ａ１、サービス領域Ａ２、またはタイマー領域Ａ３が含まれる。メッセージ領域Ａ１は、画像形成装置１の操作または処理に関するメッセージが表示される領域である。サービス領域Ａ２は、画像形成装置１を操作するためのメニュー画面、または、画像形成装置１に対する操作を確認するための画面が表示される領域である。タイマー領域Ａ３は、画像形成装置１がＵＩロック状態に遷移するまでの残り時間、または未認証状態に遷移するまでの残り時間が表示される領域である。
【００２９】
未認証画面１２１には、メッセージ領域Ａ１およびサービス領域Ａ２が含まれる。図５において、未認証画面１２１のメッセージ領域Ａ１には、ユーザにログインを促すメッセージが表示されている。この例では、ログインは、ユーザＩＤおよびパスワードの入力により行われる。未認証画面１２１のサービス領域Ａ２には、ユーザＩＤとパスワードの入力の状況を確認するための画面が表示されている。ユーザは、サービス領域Ａ２を確認しながら、入力部１０４２を操作してユーザＩＤおよびパスワードを入力する。
【００３０】
利用画面１２２Ａは、ユーザに利用許可タイマーの初期値を設定させるために表示される画面である。利用画面１２２Ａは、メッセージ領域Ａ１およびサービス領域Ａ２が含まれる。図５において、利用画面１２２Ａのメッセージ領域Ａ１には、ユーザに設定を促すメッセージが表示されている。また、図５において、利用画面１２２Ａのサービス領域Ａ２には、初期値の選択肢が表示されている。図５の例では、初期値の選択肢として、「１分」、「３分」、および「５分」を示すボタンが表示されている。ユーザは、いずれかのボタンを押すことにより、利用許可タイマーの初期値を設定する。なお、ユーザが利用許可タイマーの初期値を設定しない場合には、画像形成装置１は、利用許可状態から未認証状態に遷移する。
【００３１】
利用画面１２２Ｂは、画像形成装置１において実行される機能に関する操作をユーザにさせるために表示される画面である。利用画面１２２Ｂは、利用画面１２２Ａにおいて利用許可タイマーの初期値が設定された後に表示される。利用画面１２２Ｂには、メッセージ領域Ａ１、サービス領域Ａ２、およびタイマー領域Ａ３が含まれる。利用画面１２２Ａのサービス領域Ａ２には、例えば、実行する機能をユーザに選択させるための画面、または、実行する機能に関するパラメータをユーザに設定させるための画面が表示される。図５において、利用画面１２２Ｂのサービス領域Ａ２には、「複写」、「プリント」、「スキャン」、および「ファクシミリ」の機能が表示されている。利用画面１２２Ｂのタイマー領域Ａ３には、利用許可タイマー、ロックタイマー、およびログアウトタイマーの時間に応じて形状が変化するタイムバー１３０（図形の一例）が表示される。タイムバー１３０は、画像形成装置１が利用許可状態からＵＩロック状態に遷移するまでの残り時間、またはＵＩロック状態から未認証状態に遷移するまでの残り時間を表す。タイムバー１３０がユーザにより操作されると残り時間は変更される。タイムバー１３０の操作の詳細は後述する。
【００３２】
ＵＩロック画面１２３には、メッセージ領域Ａ１およびタイマー領域Ａ３が含まれる。ＵＩロック画面１２３には、サービス領域Ａ２が含まれていないため、ユーザがＵＩ部１０４を操作して各種機能を実行することが制限される。図５において、ＵＩロック画面１２３のメッセージ領域Ａ１には、ログインしているユーザのユーザ名が表示されている。また、ＵＩロック画面１２３のタイマー領域Ａ３には、タイムバー１３０、および解除画面１４０が表示されている。解除画面１４０は、ユーザがロック解除を行うための画面である。ユーザは、解除画面１４０を操作して解除コマンドを入力する。
以下では、ログイン、ロック、ログアウト、またはロック解除が行われる場合に、画像形成装置１で行われる処理の詳細をそれぞれ説明する。
【００３３】
図６は、ログインが行われる場合に画像形成装置１において実行される処理を示すフローチャートである。図６に示す処理が行われる前の画像形成装置１の状態は未認証状態であり、表示部１０４１には未認証画面１２１が表示されている。ステップＳａ１において、制御部１０１は、ユーザＩＤおよびパスワードの入力を受け付ける。制御部１０１は、ユーザにより入力されたユーザＩＤおよびパスワードをＲＡＭに記憶する。
【００３４】
ステップＳａ２において、制御部１０１は、入力されたユーザＩＤおよびパスワードが登録されているか否かを判断する。画像形成装置１を利用する権限が与えられたユーザのユーザＩＤおよびパスワードは、記憶部１０３に予め登録されている。制御部１０１は、ＲＡＭからユーザＩＤおよびパスワードを読み出し、記憶部１０３に記憶されているユーザＩＤおよびパスワードと照合する。入力されたユーザＩＤおよびパスワードが登録されていると判断された場合（ステップＳａ２：ＹＥＳ）、制御部１０１は、処理をステップＳａ３に移行する。入力されたユーザＩＤおよびパスワードが登録されていないと判断された場合（ステップＳａ２：ＮＯ）、制御部１０１は、処理をステップＳａ１に移行する。
【００３５】
ステップＳａ３において、制御部１０１は、ユーザを認証する。制御部１０１は、入力されたユーザＩＤを再びＲＡＭに記憶する。制御部１０１は、認証されたことを示す認証情報を付して、ユーザＩＤを記憶する。したがって、認証情報が付されたユーザＩＤを使用するユーザが、画像形成装置１にログインしているユーザである。図６に示す処理により、画像形成装置１は、未認証状態から利用許可状態に遷移する。利用許可状態に遷移すると、制御部１０１は、表示部１０４１の表示画面１２０を、未認証画面１２１から利用画面１２２Ａに切り換える。ユーザは、利用画面１２２Ａを操作して、利用許可タイマーの初期値を設定する。ユーザにより初期値が設定されると、制御部１０１は、当該初期値から利用許可タイマーを始動する。
【００３６】
図７は、認証状態におけるタイマー領域Ａ３の経時変化を示す図である。タイムバー１３０は、利用許可タイムバー１３１、ロックタイムバー１３２、ログアウトタイムバー１３３、矢印１３４、目印１３５、および目盛線１３６を有する。利用許可タイムバー１３１は、利用許可タイマーの時間を表す。ロックタイムバー１３２は、ロックタイマーの時間を表す。ログアウトタイムバー１３３は、ログアウトタイマーの時間を表す。利用許可タイムバー１３１、ロックタイムバー１３２、およびログアウトタイムバー１３３は、この順番で連続して並んでいる。矢印１３４は、利用許可タイマー、ロックタイマー、またはログアウトタイマーの時間を表す。矢印１３４は、経時変化に伴いタイムバー１３０に沿って移動する。矢印１３４は、また、利用画面１２２Ｂにおいてユーザによる操作を受けて移動する。矢印１３４の上には、利用許可タイマー、ロックタイマー、またはログアウトタイマーが示す現時点での時間が表示される。目印１３５は、画像形成装置１の状態が遷移する時刻を表す。目印１３５ａは、画像形成装置１が利用許可状態からＵＩロック状態に遷移する時刻を表す。目印１３５ｂは、画像形成装置１がＵＩロック状態から未認証状態に遷移する時刻を表す。矢印１３４が目印１３５の位置まで移動すると、画像形成装置１の状態は遷移する。目盛線１３６は、タイムバー１３０における時間を示す線である。
【００３７】
図７（ａ）から（ｃ）は、利用許可状態で経時変化に伴って矢印１３４が移動する例を示している。図７の例で、利用許可タイマーの初期値は６０秒である。矢印１３４は、時間の経過に伴って図７（ａ）、（ｂ）、（ｃ）の順に移動する。矢印１３４が目印１３５ａの位置まで移動すると、画像形成装置１は利用許可状態からＵＩロック状態に遷移する。利用許可タイムバー１３１の尺度は、利用許可タイマーの時間が減少するに従って大きくなるように表示される。図７の例で、利用許可タイムバー１３１の尺度は、利用許可タイマーの時間が５秒から０秒（目印１３５ａ）までの方が、利用許可タイマーの時間が初期値の６０秒から５秒までに比べて大きくなっている。
【００３８】
図８は、利用許可タイマーの残り時間がリセットされる例を示す図である。図８（ａ）に示すように、矢印１３４が目印１３５ａの位置まで移動する前にＵＩ部１０４が操作されたことを検知すると、制御部１０１は、利用許可タイマーの時間をリセットする。利用許可タイマーの時間がリセットされると、制御部１０１は、矢印１３４を図８（ｂ）に示す初期の位置に表示させる。ユーザが触れることにより利用許可タイマーの時間がリセットされる領域は、利用画面１２２Ｂ内のいかなる領域であってもよい。また、利用許可タイマーの時間のリセットは、制御部１０１が、入力部１０４２が操作されたことを検知した場合にも行われる。
【００３９】
図９は、ユーザによる操作を受け付けて矢印１３４が移動する例を示す図である。ユーザは、矢印１３４に触れている指を、タイマー領域Ａ３上でタイムバー１３０に沿って移動させる。矢印１３４は、タイムバー１３０の両端のいずれの方向に移動させられてもよい。矢印１３４が移動させられたことを検知すると、制御部１０１は、利用許可タイマーの時間を変更する。制御部１０１は、移動後の矢印１３４の位置に応じて利用許可タイマーの時間を増加または減少させる。矢印１３４を目印１３５ａに近づける方向に移動させるほど、利用許可タイマーの時間は減少する。矢印１３４を目印１３５ａから遠ざかる方向に移動させるほど、利用許可タイマーの時間は増加する。この場合、利用許可タイマーの時間は、初期値を超える時間に変更されてもよい。図９の例では、ユーザは、矢印１３４を目印１３５ａから遠ざかる方向に移動させ、利用許可タイマーの時間が７０秒に変更させている。
【００４０】
図１０は、ロックおよびログアウトが行われる場合に画像形成装置１において実行される処理を示すフローチャートである。図１０に示す処理が行われる前の画像形成装置１の状態は利用許可状態であり、表示部１０４１には利用画面１２２Ｂが表示されている。ステップＳｂ１において、制御部１０１は、利用許可タイマーの時間がゼロになったか否かを判断する。利用許可タイマーの時間がゼロになる場合としては、図７で示した経時変化による場合と、ユーザが矢印１３４を移動させた場合とがある。利用許可タイマーの時間がゼロになったと判断された場合（ステップＳｂ１：ＹＥＳ）、制御部１０１は、処理をステップＳｂ２に移行する。利用許可タイマーの時間がゼロになっていないと判断された場合（ステップＳｂ１：ＮＯ）、制御部１０１は、利用許可タイマーの時間がゼロになるまで処理を待機する。ステップＳｂ２において、制御部１０１は、ＵＩ部１０４におけるユーザによる操作の受け付けを制限する。制御部１０１は、表示部１０４１の表示画面１２０を、利用画面１２２ＢからＵＩロック画面１２３に切り換えることにより、ユーザがＵＩ部１０４を操作して各種機能を実行することを制限する。
【００４１】
再び図７を参照する。図７（ｄ）は、ＵＩロック画面１２３のタイマー領域Ａ３を示す図である。表示画面１２０が、利用画面１２２ＢからＵＩロック画面１２３に切り換わると、タイマー領域Ａ３は、図７（ｃ）から図７（ｄ）へと変化し、タイマー領域Ａ３には、タイムバー１３０に加えて解除画面１４０が表示される。また、表示画面１２０が、利用画面１２２ＢからＵＩロック画面１２３に切り換わると、利用許可タイムバー１３１が表示されなくなり、タイムバー１３０の尺度が変更される。
【００４２】
図１１は、ユーザが矢印１３４を移動させて利用許可タイマーの時間がゼロになる例を示す図である。図１１（ａ）および（ｂ）に示すように、ユーザが、矢印１３４を、目印１３５ａを越えるまで移動させる（特定の操作の一例）と、利用許可タイマーの時間はゼロになる。ユーザの操作により利用許可タイマーの時間がゼロになる場合、図１１（ｂ）および（ｃ）に示すように、制御部１０１は、ユーザが矢印１３４から指を離したことを検知してから、表示画面１２０を、利用画面１２２ＢからＵＩロック画面１２３に切り換える。矢印１３４は、表示画面１２０がＵＩロック画面１２３に切り換わると、ユーザによる操作を受けても移動しなくなる。
【００４３】
図１２は、ＵＩロック画面１２３のタイマー領域Ａ３に対する操作を示す図である。図１３に示す通り、表示画面１２０が利用画面１２２ＢからＵＩロック画面１２３に切り換わると、矢印１３４を移動させる操作の受け付けは制限される。
【００４４】
再び図１０を参照する。ステップＳｂ３において、制御部１０１は、ロックタイマーを始動する。ステップＳｂ４において、制御部１０１は、ロックタイマーの時間がゼロになったか否かを判断する。ロックタイマーの時間がゼロになる場合としては、経時変化による場合と、ユーザが矢印１３４を移動させた場合とがある。ロックタイマーの時間がゼロになったと判断された場合（ステップＳｂ４：ＹＥＳ）、制御部１０１は、処理をステップＳｂ５に移行する。ロックタイマーの時間がゼロになっていないと判断された場合（ステップＳｂ４：ＮＯ）、制御部１０１は、ロックタイマーの時間がゼロになるまで処理を待機する。
【００４５】
ステップＳｂ５において、制御部１０１は、ログアウトタイマーを始動する。ステップＳｂ６において、制御部１０１は、ログアウトタイマーの時間がゼロになったか否かを判断する。ログアウトタイマーの時間がゼロになる場合としては、経時変化による場合と、ユーザが矢印１３４を移動させた場合とがある。ログアウトタイマーの時間がゼロになったと判断された場合（ステップＳｂ６：ＹＥＳ）、制御部１０１は、処理をステップＳｂ７に移行する。ログアウトタイマーの時間がゼロになっていないと判断された場合（ステップＳｂ６：ＮＯ）、制御部１０１は、ログアウトタイマーの時間がゼロになるまで処理を待機する。
【００４６】
再び図７を参照する。図７（ｃ）において、矢印１３４が目印１３５ａの位置まで移動すると、ロックタイマーが始動される。図７の例で、ロックタイマーの初期値は６０秒である。また、図７（ｄ）において、矢印１３４が目盛「３０」の位置まで移動すると、ロックタイマーの時間がゼロになる。ロックタイマーの時間がゼロになると、ログアウトタイマーが始動される。図７の例で、ログアウトタイマーの初期値は３０秒である。図７（ｄ）において、矢印１３４が目印１３５ｂの位置まで移動すると、ログアウトタイマーの時間がゼロになる。ロックタイマーまたはログアウトタイマーの時間は、ユーザが矢印１３４を移動させると変更される。
【００４７】
図１３は、ユーザによる操作を受け付けて矢印１３４が移動する別の例を示す図である。図１３Ａから図１３Ｄにおいて、ユーザは、矢印１３４を移動させることにより、画像形成装置１をロックし、かつ、ロックタイマーの時間を初期値の６０秒から３００秒に変更している。ロックタイマーの時間を変更する場合、まず、図１３Ａおよび図１３Ｂに示すように、ユーザは矢印１３４を、目印１３５ａを越える位置まで移動させる。ユーザの操作により矢印１３４が目印１３５ａを越えると、図１３Ｂに示すように、利用許可タイムバー１３１および目印１３５ａが表示されなくなり、タイムバー１３０の尺度が変更される。この状態で、ユーザが矢印１３４を、目印１３５ｂから遠ざかる方向に移動させると、図１３Ｃに示すように、ロックタイマーの時間は増加する。ユーザの操作により利用許可タイマーの時間がゼロになる場合、図１３Ｄに示すように、制御部１０１は、ユーザが矢印１３４から指を離したことを検知してから、表示画面１２０を、利用画面１２２ＢからＵＩロック画面１２３に切り換える。
【００４８】
図１４は、ユーザによる操作を受け付けてログアウトタイマーの時間がゼロになる例を示す図である。図１４（ａ）および（ｂ）に示すようにユーザが矢印１３４を移動させ、矢印１３４が目印１３５ｂに達すると、ログアウトタイマーの時間はゼロになる。このように、ユーザは、ログアウトタイマーの時間をゼロにしようとする場合、図１１に示した利用許可タイマーの時間をゼロにする操作とログアウトタイマーの時間をゼロにする操作とを一連の操作で行う。なお、ロックタイマーの時間をゼロにする操作は、ログアウトタイマーの時間をゼロにする操作と同様の方法により行われる。ロックタイマーの時間をゼロにする場合、ユーザは、矢印１３４を、目盛線１３６が示す「３０」に達するまで移動させる。
【００４９】
再び図１０を参照する。ステップＳｂ７において、制御部１０１は、ユーザの認証を解除する。具体的には、制御部１０１は、ＲＡＭに記憶されたユーザＩＤおよび認証情報を消去する。図１０に示す処理により、画像形成装置１は、利用許可状態から未認証状態へと遷移する。未認証状態に遷移すると、制御部１０１は、表示部１０４１の表示画面１２０を、ＵＩロック画面１２３から未認証画面１２１に切り換える。なお、ユーザが矢印１３４を移動させログアウトタイマーの時間がゼロになった場合、制御部１０１は、表示部１０４１の表示画面１２０を、利用画面１２２Ｂから未認証画面１２１に切り換える。
【００５０】
図１５は、ロック解除が行われる場合に画像形成装置１において実行される処理を示すフローチャートである。図１５に示す処理が行われる前の画像形成装置１の状態はＵＩロック状態であり、表示部１０４１にはＵＩロック画面１２３が表示されている。ステップＳｃ１において、制御部１０１は、ユーザによる解除コマンドの入力を受け付ける。制御部１０１は、入力された解除コマンドをＲＡＭに記憶する。
【００５１】
図１６は、解除コマンドの入力例を示す図である。解除コマンドは、ユーザ毎に予め登録された文字、図形または記号である。解除コマンドは、例えば、ユーザＩＤおよびパスワードに比べて入力する負担の少ないものが用いられる。ユーザは、ＵＩロック画面１２３の解除画面１４０に触れて、解除コマンドを入力する。図１６の例では、ユーザは、解除コマンドの入力として、解除画面１４０に円を描いている。
【００５２】
再び図１５を参照する。ステップＳｃ２において、制御部１０１は、入力された解除コマンドが登録されているか否かを判断する。解除コマンドは、ユーザＩＤごとに予め登録され、記憶部１０３に記憶されている。制御部１０１は、ＲＡＭからユーザＩＤおよび解除コマンドを読み出し、記憶部１０３に記憶されている解除コマンドのうち、ユーザＩＤに対応付けられた解除コマンドと照合する。入力された解除コマンドが登録されていると判断された場合（ステップＳｃ２：ＹＥＳ）、制御部１０１は、処理をステップＳｃ３に移行する。入力された解除コマンドが登録されていないと判断された場合（ステップＳｃ２：ＮＯ）、制御部１０１は、処理をステップＳｃ５に移行する。
【００５３】
ステップＳｃ３において、制御部１０１は、不一致カウンタの値を初期値に戻す。不一致カウンタは、ユーザにより入力された解除コマンドが、登録されていないと判断された回数をカウントするためのデータである。不一致カウンタはＲＡＭに記憶され、初期値は「０」である。ステップＳｃ４において、制御部１０１は、ＵＩ部１０４におけるユーザによる操作の受け付けの制限を解除する。制御部１０１は、表示部１０４１の表示画面１２０を、ＵＩロック画面１２３から利用画面１２２Ｂに切り換えることにより、ユーザがＵＩ部１０４を操作して各種機能を実行することの制限を解除する。
【００５４】
ステップＳｃ５において、制御部１０１は、不一致カウンタの値をインクリメントする。ステップＳｃ６において、制御部１０１は、不一致カウンタの値が閾値以上であるか否かを判断する。閾値は、ユーザが解除コマンドを入力する回数の上限値である。閾値は、画像形成装置１を管理する管理者により予め決められており、記憶部１０３に記憶されている。制御部１０１は、ＲＡＭから不一致カウンタの値を読み出し、閾値と比較する。不一致カウンタの値が閾値以上であると判断された場合（ステップＳｃ６：ＹＥＳ）、制御部１０１は、処理をステップＳｃ７に移行する。不一致カウンタの値が閾値以上でないと判断された場合（ステップＳｃ６：ＮＯ）、制御部１０１は、処理をステップＳｃ１に移行する。ステップＳｃ７において、制御部１０１は、ユーザの認証を解除する。
【００５５】
図１５に示す処理により、ユーザにより登録された解除コマンドが入力されると、画像形成装置１は利用許可状態へと遷移する。したがって、ユーザがロック解除により中断した操作を再開する場合、再度ログインする手間の発生が防止される。また、ロック解除が行われる場合、パラメータを再度設定する負担が生じることが防止される。
【００５６】
本発明は、上述の実施形態に限定されるものではなく、種々の変形実施が可能である。以下、変形例をいくつか説明する。以下で説明する変形例のうち、２つ以上のものが組み合わされて用いられても良い。
【００５７】
（１）変形例１
ユーザが矢印１３４を移動させる方向は、タイムバー１３０に沿った方向に限らない。例えば、ユーザがロックタイマーの時間を初期値から変更する場合、矢印１３４は、タイムバー１３０から遠ざかる方向に移動させられてもよい。
【００５８】
図１７は、変形例１に係る矢印１３４の操作を示す図である。図１７Ａから図１７Ｄにおいて、ユーザは、矢印１３４を移動させることにより、画像形成装置１をロックし、かつ、ロックタイマーの時間を初期値の６０秒から３００秒に変更している。ロックタイマーの時間を変更する場合、まず、図１７Ａから図１７Ｂに示すように、ユーザは矢印１３４を、目印１３５ａを越える位置まで移動させる。変形例１では、この状態でユーザが矢印１３４をタイムバー１３０から遠ざかる方向に移動させると、ロックタイマーの時間が増加する。ロックタイマーの時間は、矢印１３４がタイムバー１３０から遠ざかるほど大きく増加する。図１７Ｂから図１７Ｃにおいて、ユーザは、矢印１３４をタイムバー１３０の上から手前に移動させている。ユーザが矢印１３４から指を離したことが検知されると、制御部１０１は、図１７Ｄに示すように、表示画面１２０を利用画面１２２ＢからＵＩロック画面１２３に切り換える。
【００５９】
（２）変形例２
ＵＩロック画面１２３のメッセージ領域Ａ１の表示は、ログインしているユーザのユーザ名に限らない。例えば、ＵＩロック画面１２３のメッセージ領域Ａ１には、操作の中断に関するメッセージ（以下、中断中メッセージという）が表示されてもよい。中断中メッセージは、ＵＩ部１０４に対する操作が制限されているときに表示される。別の例で、ＵＩロック画面１２３のメッセージ領域Ａ１には、ユーザが初期値から設定を変更したパラメータの個数（以下、変更パラメータ数という）が表示されてもよい。さらに、別の例で、ＵＩロック画面１２３のメッセージ領域Ａ１には、ログインしているユーザのユーザ名、中断中メッセージ、および変更パラメータ数がそれぞれ表示されてもよい。
【００６０】
図１８は、ＵＩロック画面１２３のメッセージ領域Ａ１に中断中メッセージが表示される例を示す図である。この例で、制御部１０１は、画像形成装置１の動作状況に応じて中断中メッセージを表示している。例えば、画像形成部１０５が用紙切れを検知するセンサを有しており、当該センサにより用紙切れが検知されている状態でＵＩ部１０４に対する操作の制限がされた場合を考える。この場合、制御部１０１は、図１８に示すように、ユーザが用紙を取りに行っている可能性があることを中断中メッセージとして表示する。なお、画像形成部１０５は、用紙切れを検知するセンサの他に、トナー切れを検知するセンサ、および原稿の置き忘れを検知するセンサを有している。これらのセンサがトナー切れまたは原稿の置き忘れを検知した場合には、制御部１０１は、ユーザがトナーを取りに行っている可能性があること、または、原稿の置き忘れがあることを中断中メッセージとして表示する。中断中メッセージには、図１８に示すように、ユーザに解除コマンドの入力を促すメッセージが含まれていてもよい。
【００６１】
図１９は、ＵＩロック画面１２３のメッセージ領域Ａ１に中断中メッセージが表示される別の例を示す図である。この例で、制御部１０１は、変更パラメータ数に応じて中断中メッセージを表示している。変更パラメータ数が予め決められた値以上である場合、制御部１０１は、図１９に示すように、タイムバー１３０の時間がゼロになるまでの待機を促すメッセージを中断中メッセージとして表示する。なお、中断中メッセージは、画像形成装置１の動作状況および変更パラメータ数に応じて表示されてもよい。
【００６２】
図２０は、ＵＩロック画面１２３のメッセージ領域Ａ１に変更パラメータ数が表示される例を示す図である。この例で、ユーザは、操作を中断する前に５０個のパラメータの設定を変更している。
【００６３】
図２１は、ＵＩロック画面１２３のメッセージ領域Ａ１にユーザ名、中断中メッセージ、および変更パラメータ数が表示される場合における組み合わせの例を示す図である。図２１において、中断中メッセージは、画像形成装置１の動作状況および変更パラメータ数に応じて表示される。図２１の例では、変更パラメータ数が５０個以上である場合、タイムバー１３０の時間がゼロになるまでの待機を促すメッセージが中断中メッセージに含まれている。
【００６４】
このようにＵＩロック画面１２３のメッセージ領域Ａ１に中断中メッセージまたは変更パラメータ数が表示された場合、これらが表示されない場合に比べて、別のユーザがログインする頻度は減少する。
【００６５】
（３）変形例３
ユーザが矢印１３４を移動させてロックを行った場合、ＵＩロック画面１２３のメッセージ領域Ａ１に表示される中断中メッセージはユーザによって選択されてもよい。制御部１０１は、ユーザが矢印１３４を移動させ、利用許可タイマーの時間がゼロになった場合に、中断中メッセージをユーザに選択させるための選択画面１５０を表示画面１２０内に表示する。
【００６６】
図２２は、選択画面１５０の一例を示す図である。選択画面１５０は、例えば、制御部１０１が表示画面１２０を、利用画面１２２ＢからＵＩロック画面１２３に切り換えたときに、ＵＩロック画面１２３に重ねて表示される。選択画面１５０には、中断中メッセージの選択肢が表示される。図２２の例では、中断中メッセージの選択肢として、「３分以内に戻ります。」、「すぐに戻りますので、触らないで下さい。」、および「気にしないで使って下さい。」というボタンが表示されている。ユーザは、いずれかのボタンを押すことにより、中断中メッセージを選択する。図２２（ａ）では、ユーザは、中断中メッセージとして「すぐに戻りますので、触らないで下さい。」を選択している。中断中メッセージが選択されると、当該中断中メッセージがＵＩロック画面１２３のメッセージ領域Ａ１に表示される（図２２（ｂ））。
【００６７】
別の例で、ユーザが矢印１３４を移動させてロックを行った場合、ＵＩロック画面１２３のメッセージ領域Ａ１には、ユーザがＵＩ部１０４を操作して入力した中断中メッセージが表示されてもよい。この場合、制御部１０１は、例えば、中断中メッセージをユーザに入力させるための入力画面を表示画面１２０内に表示する。
【００６８】
（４）変形例４
利用画面１２２Ａのサービス領域Ａ２の表示は、実施形態に記載した選択肢が表示される態様に限らない。利用画面１２２Ａのサービス領域Ａ２には、例えば、ユーザに利用許可タイマーの初期値を設定させるための時間軸が表示されてもよい。この場合、ユーザは、時間軸を操作することにより、例えば秒単位で利用許可タイマーの初期値を設定する。
【００６９】
（５）変形例５
利用許可タイマーの初期値は、ユーザに設定される場合に限らない。利用許可タイマーの初期値は、画像形成装置１を管理する管理者により予め決められていてもよい。この場合、利用画面１２２Ａは表示されず、画像形成装置１が未認証状態から利用許可状態に遷移すると、制御部１０１は、表示部１０４１の表示画面１２０を、未認証画面１２１から利用画面１２２Ｂに切り換える。
【００７０】
（６）変形例６
タイマー領域Ａ３に表示される図形は、タイムバー１３０に限らない。利用許可タイマー、ロックタイマー、およびログアウトタイマーの時間に応じて形状が変化し、かつ、ユーザによって操作される図形であれば、タイマー領域Ａ３に表示される図形は、いかなる図形であってもよい。例えば、タイマー領域Ａ３には、利用許可タイマー、ロックタイマー、およびログアウトタイマーの時間を示す時計が表示されてもよい。この場合、ユーザは、時計の針を移動させることにより、利用許可状態からＵＩロック状態に遷移するまでの残り時間、またはＵＩロック状態から未認証状態に遷移するまでの残り時間を変更する。また、タイマー領域Ａ３に表示される図形は、利用許可タイマー、ロックタイマー、およびログアウトタイマーの時間に応じて大きさが変化する図形であってもよい。例えば、タイマー領域Ａ３に表示される図形は、利用許可タイマー、ロックタイマー、およびログアウトタイマーの時間が減少するに従って小さくなるように表示されてもよい。さらに、タイマー領域Ａ３に表示される図形は、形状と大きさとが変化する図形であってもよい。
【００７１】
別の例で、タイマー領域Ａ３には、文字が表示されてもよい。例えば、タイマー領域Ａ３には、利用許可タイマー、ロックタイマー、およびログアウトタイマーの時間を示す数字が表示されてもよい。この場合、タイマー領域Ａ３には、利用許可タイマー、ロックタイマー、およびログアウトタイマーの時間を増加または減少させるためのボタンが表示される。このボタンを操作することにより、ユーザは、利用許可状態からＵＩロック状態に遷移するまでの残り時間、またはＵＩロック状態から未認証状態に遷移するまでの残り時間を変更する。
さらに別の例で、タイマー領域Ａ３に表示される図形または文字は、利用許可タイマー、ロックタイマー、およびログアウトタイマーの時間に応じて色が変化してもよい。例えば、タイマー領域Ａ３に表示される図形または文字は、利用許可タイマー、ロックタイマー、およびログアウトタイマーの時間が減少するに従って暖色から寒色になるように表示されてもよい。
【００７２】
（７）変形例７
本発明に係る処理は、上述のフローチャートに記載されたものに限定されない。例えば、図１０において、ロックタイマーの始動（ステップＳｂ３）、およびロックタイマーがゼロになったか否かの判断（ステップＳｂ４）は省略されてもよい。この場合、利用許可タイマーの時間がゼロになると、ログアウトタイマーが始動する。またこの場合、タイムバー１３０にロックタイムバー１３２は含まれない。
【００７３】
（８）変形例８
利用許可タイマーの時間がリセットされるのは、ＵＩ部１０４が操作された場合に限らない。例えば、画像形成装置１が、赤外線または超音波を利用してユーザの存在を検知するセンサを有しており、当該センサによりユーザの存在が検知される場合に利用許可タイマーの時間がリセットされてもよい。
【００７４】
（９）変形例９
解除コマンドは、実施形態に記載した図形に限らない。解除コマンドは、ログインに利用されるパスワードに比べて文字数の多い文字列であってもよい。また、解除コマンドの入力は、入力部１０４２を操作することにより行われてもよい。
【００７５】
（１０）変形例１０
本発明に係る処理が行われる情報処理装置は、画像形成装置１に限定されない。情報処理装置は、ユーザが認証されている状態で特定の処理を行う装置であれば、いかなる装置であってもよい。
【００７６】
図２３は、変形例１０に係る情報処理装置２の機能的構成を示すブロック図である。図２３において、情報処理装置２は、図１に示した画像形成手段１６に替えて処理手段２０を有する。処理手段２０は、特定の処理を行う。この場合、記憶手段１７は、ユーザがユーザインタフェース１１の操作をすることにより設定した、特定の処理に用いられるパラメータを記憶する。
【００７７】
（１１）変形例１１
実施形態において画像形成装置１によって実行されるプログラムは、磁気記録媒体（磁気テープ、磁気ディスク（ＨＤＤ、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータが読み取り可能な記録媒体に記憶した状態で提供されてもよい。また、この制御プログラムは、インターネットなどのネットワーク経由でダウンロードされてもよい。
【符号の説明】
【００７８】
１…画像形成装置、１１…ユーザインタフェース、１２…認証手段、１３…制限手段、１４…時間増減手段、１５…認証解除手段、１６…画像形成手段、１７…記憶手段、１８…削除手段、１９…制限解除手段、１０１…制御部、１０２…通信部、１０３…記憶部、１０４…ＵＩ部、１０４１…表示部、１０４２…入力部、１０５…画像形成部、１２０…表示画面、１２１…未認証画面、１２２Ａ,Ｂ…利用画面、１２３…ＵＩロック画面、１３０…タイムバー、１３１…利用許可タイムバー１３１、１３２…ロックタイムバー、１３３…ログアウトタイムバー、１３４…矢印、１３５ａ,ｂ…目印、１３６…目盛線、１４０…解除画面、２…情報処理装置、２０…処理手段
【図１】
2014071828.tif 000003
【図２】
2014071828.tif 000004
【図３】
2014071828.tif 000005
【図４】
2014071828.tif 000006
【図５】
2014071828.tif 000007
【図６】
2014071828.tif 000008
【図７】
2014071828.tif 000009
【図８】
2014071828.tif 000010
【図９】
2014071828.tif 000011
【図１０】
2014071828.tif 000012
【図１１】
2014071828.tif 000013
【図１２】
2014071828.tif 000014
【図１３Ａ】
2014071828.tif 000015
【図１３Ｂ】
2014071828.tif 000016
【図１３Ｃ】
2014071828.tif 000017
【図１３Ｄ】
2014071828.tif 000018
【図１４】
2014071828.tif 000019
【図１５】
2014071828.tif 000020
【図１６】
2014071828.tif 000021
【図１７Ａ】
2014071828.tif 000022
【図１７Ｂ】
2014071828.tif 000023
【図１７Ｃ】
2014071828.tif 000024
【図１７Ｄ】
2014071828.tif 000025
【図１８】
2014071828.tif 000026
【図１９】
2014071828.tif 000027
【図２０】
2014071828.tif 000028
【図２１】
2014071828.tif 000029
【図２２】
2014071828.tif 000030
【図２３】
2014071828.tif 000031